(57)【特許請求の範囲】
【請求項１】
カウンター上面が後側から手前下がりに傾斜し、カウンター上面の手前側に左右へ延びる水返し用縁部が設けられ、水返し用縁部の内側に水返し用縁部に沿ってカウンター上面より低い横長排水路が凹設され、横長排水路は、水返し用縁部に沿って延びる排水口を開設した開口領域と、開口領域へ向かって下る排水勾配を形成した底面のある有底領域とが連接して形成されており、
前記カウンター上面を形成したカウンター本体と、カウンター本体を支持するブラケットと、カウンター本体の下方に配置して手前側をカウンター本体に接合したカバーとを備え、カウンター本体の下面側に前記横長排水路の排水口と連なる縦排水接合部を形成すると共にカバーの内側に縦排水路形成部を形成し、これら排水口と縦排水接合部を接合して縦排水路を形成し、ブラケット及び縦排水路形成部の外側面をカウンター本体及びカバーで覆い隠したことを特徴とする浴室の洗い場用カウンター。
【請求項２】
前記開口領域が前記横長排水路の左右中央寄りに形成され、前記有底領域が前記開口領域の左右両外側の各々に形成された請求項１記載の浴室の洗い場用カウンター。
【請求項３】
前記カウンター上面と前記横長排水路の境界の出隅縁に、横長排水路に沿って面取りを施し、面取り表面の勾配をカウンター上面の手前下がりの勾配よりも大きくした請求項１又は２記載の浴室の洗い場用カウンター。
【発明の詳細な説明】
【技術分野】
【０００１】
本発明は、浴室に設けられる洗い場用カウンターに関するものである。
【背景技術】
【０００２】
従来、浴室の洗い場用カウンターは、カウンター上面が壁面側から手前下がりに傾斜し、かつ、該カウンターの手前側に縁部が設けられると共に、この縁部の内側に、この縁部に沿って湯水を案内し、排出する溝部が設けられ、上記縁部自身が湯水の水返しを形成するものであり、上記縁部がカウンターの一端から他端にかけて設けられるとともに、この縁部の内側に形成された溝部の一方の端部に洗い場に排水する排出口が設けられている（特許文献１）。
【特許文献１】特開２００５−５２３１０号公報
【発明の開示】
【発明が解決しようとする課題】
【０００３】
しかし、前記洗い場用カウンターは、溝部の一方の端部に設けられた一箇所の排出口のみでは排水能力に限界があり、カウンター上面に多量の水が流れ込んだとき、カウンター上面の水下側に水が溜まりやすい問題がある。
そこで、本発明は、上記問題を解決するために、カウンター上面の水下側に水が溜まり難い浴室の洗い場用カウンターの提供を目的とする。
【課題を解決するための手段】
【０００４】
カウンター上面の水下側に水が溜まり難くするために請求項１記載の本発明が採用した手段は、カウンター上面が後側から手前下がりに傾斜し、カウンター上面の手前側に左右へ延びる水返し用縁部が設けられ、水返し用縁部の内側に水返し用縁部に沿ってカウンター上面より低い横長排水路が凹設され、横長排水路は、水返し用縁部に沿って延びる排水口を開設した開口領域と、開口領域へ向かって下る排水勾配を形成した底面のある有底領域とが連接して形成されており、前記カウンター上面を形成したカウンター本体と、カウンター本体を支持するブラケットと、カウンター本体の下方に配置して手前側をカウンター本体に接合したカバーとを備え、カウンター本体の下面側に前記横長排水路の排水口と連なる縦排水接合部を形成すると共にカバーの内側に縦排水路形成部を形成し、これら排水口と縦排水接合部を接合して縦排水路を形成し、ブラケット及び縦排水路形成部の外側面をカウンター本体及びカバーで覆い隠したことを特徴とする浴室の洗い場用カウンターである。
【０００５】
請求項１記載の本発明は、カウンター上面を流れて開口領域へ至った水を排水口から排出する直接排水経路と、カウンター上面を流れて横長排水路の有底領域へ至った水を排水勾配のある底面で一旦受けた後に排水口部へ導いて排出する迂回排水経路との二通りの排水経路を形成するので排水能力を従来に比べて増大させることができる。
【０００６】
カウンター上面の水下側の左右全域にわたって水を溜まり難くしてカウンター上面の排水能力を更に向上させるために請求項２記載の本発明が採用した手段は、前記開口領域が前記横長排水路の左右中央寄りに形成され、前記有底領域が前記開口領域の左右両外側の各々に形成された請求項１記載の浴室の洗い場用カウンターである。
【０００７】
請求項２記載の本発明は、開口領域の左右両外側の各々に有底領域を形成することで、左右に二つの迂回排水経路が形成されることになる。
【０００８】
カウンター上面の水下側縁の水切れをよくするために請求項３記載の本発明が採用した手段は、前記カウンター上面と前記横長排水路の境界の出隅縁に、横長排水路に沿って面取りを施し、面取り表面の勾配をカウンター上面の手前下がりの勾配よりも大きくした請求項１又は２記載の浴室の洗い場用カウンターである。
【０００９】
請求項３記載の本発明は、カウンター上面の水下側の出隅縁に至った水を、急な勾配の面取り表面で横長排水路へ円滑に導くことができる。
【００１０】
見栄えよくカウンターを構成するために請求項１記載の本発明が採用した手段は、前記カウンター上面を形成したカウンター本体と、カウンター本体を支持するブラケットと、カウンター本体の下方に配置して手前側をカウンター本体に接合したカバーとを備え、カウンター本体の下面側に前記横長排水路の排水口と連なる縦排水接合部を形成すると共にカバーの内側に縦排水路形成部を形成し、これら排水口と縦排水接合部を接合して縦排水路を形成し、ブラケット及び縦排水路形成部の外側面をカウンター本体及びカバーで覆い隠した浴室の洗い場用カウンターである。
【００１１】
請求項１記載の本発明は、ブラケット及び縦排水路形成部の外側面が、カウンター本体及びカバーで覆い隠されて露出しない。
【発明の効果】
【００１２】
請求項１記載の本発明に係る浴室の洗い場用カウンターは、排水能力を従来に比べて増大できるので、カウンター上面の水下側に水が溜まり難くなる。
【００１３】
請求項２記載の本発明に係る浴室の洗い場用カウンターは、左右に二つの迂回排水経路を形成することで、カウンター上面の水下側の左右全域にわたって水が溜まり難くなる。      
【００１４】
請求項３記載の本発明に係る浴室の洗い場用カウンターは、水を急な勾配の面取り表面で横長排水路へ円滑に導くことで、カウンター上面の水下側の出隅縁の水切れをよくすることができる。
【００１５】
請求項１記載の本発明に係る浴室の洗い場用カウンターは、ブラケット及び縦排水路形成部の外側面の露出がないため見栄えがよい。
【発明を実施するための最良の形態】
【００１６】
本発明に係る浴室の洗い場用カウンター（以下、「本発明カウンター」と言う。）を図面に示す実施形態に基づいて説明する。図１乃至図１０は本発明カウンターの実施の形態を示すものであって、図１は一部破断して示す全体の平面図、図２は本発明カウンター１の全体の底面図である。図３は上方のカウンター本体３、下方のカバー４及び端キャップ５を示すものであって、図（Ａ）は三者３，４，５を分離した状態の正面図、図（Ｂ）は三者３，４，５を連結した状態の正面図である。図４は図２のＩＶ−ＩＶ線で断面し拡大して示す左側面図、図５は図２のＶ−Ｖ線で断面し拡大して示す左側面図、図６は図２のＶＩ−ＶＩ線で断面した一部を拡大して示す左側面図、図７は図２のＶＩＩ−ＶＩＩ線で断面した一部を拡大して示す左側面図、図８は図２のＶＩＩＩ−ＶＩＩ線で断面した一部を拡大して示す左側面図である。図９はカウンター本体３の底面図である。図１０はカウンター本体３及びブラケット６，６，７を分離して示す斜視図である。
【００１７】
本発明カウンター１は、図１及び図５に示す如く、カウンター上面１ａが後側（取付壁面Ｗ側）から手前下がりに傾斜し、カウンター上面１ａの手前側に左右方向へ延びる水返し用縁部１ｂが領域Ｇに設けられ、水返し用縁部１ｂの内側に水返し用縁部１ｂに沿ってカウンター上面１ａより低い横長排水路２が凹設されている。そして、本発明カウンター１は、水返し用縁部１ｂに沿って長く上下方向へ延びる縦排水路１２が設けられ、横長排水路２に、縦排水路１２に連なる排水口２ｂを開設した開口領域Ｊと、開口領域Ｊへ向かって下る排水勾配を形成した底面２ａのある有底領域Ｋとが連接して形成されている。そして、横長排水路２は、開口領域Ｊの水返し用縁部１ｂに沿う長さ寸法Ｔが有底領域Ｋと開口領域Ｊの境界における有底領域Ｋの横断方向に沿う横長排水路２の幅寸法Ｕ（両領域Ｊ，Ｋの境界における有底領域Ｋの部分を示す図６参照）よりも大きくなっている。また、開口領域Ｊの排水口２ｂの開口平面積Ｍ（図１参照）は、有底領域Ｋと開口領域Ｊとの境界の有底領域Ｋにおける横長排水路２の横断面積Ｎ（図６参照）よりも大きくなっている。本例の本発明カウンター１は、水返し用縁部１ｂを手前へ膨出させて手前外側面を円弧状に形成すると共に、水返し用縁部１ｂの内側の横長排水路２も平面湾曲状に形成してある。また、本発明カウンター１は、左側領域Ｈが水栓取付域又はシャンプー等の載置域となっており、右側領域Ｌがシャンプー等の載置域となっている。
【００１８】
本発明カウンター１は、カウンター上面１ａを流れて横長排水路２の開口領域Ｊへ向かった水を縦排水路１２から排出する直接排水経路Ｐと、カウンター上面１ａを流れて横長排水路２の有底領域Ｋへ向かった水を排水勾配のある底面２ａで一旦受けた後に縦排水路１２へ導いて排出する迂回排水経路Ｑとの二通りの排水経路Ｐ，Ｑを形成するので、カウンター上面１ａを下って流れる水を二通りの排水経路Ｐ，Ｑへ分散させて排出することができると共に、開口領域Ｊの水返し用縁部１ｂに沿う長さ寸法Ｔを横長排水路２の有底領域Ｋにおける横断方向に沿う幅寸法Ｕ（図６参照）よりも大きくし（例えば、ＴをＵの５〜１５倍）、また排水口２ｂの開口平面積Ｍ（図１参照）を横長排水路２の有底領域Ｋにおける横断面積Ｎ（図６参照）よりも大きく（例えば、ＭをＮの４〜１４倍）することで、二通りの排水経路Ｐ，Ｑの各々を流れる水を迅速に排出することが可能となり、排水能力を従来に比べて増大させることができる。
【００１９】
本発明カウンター１は、横長排水路２の左右中央寄りに開口領域Ｊを形成すると共に開口領域Ｊの左右両外側の各々に有底領域Ｋを形成することで、中央寄り直接排水経路Ｐと左右に形成される二つの迂回排水経路Ｑ，Ｑとが相まって水を円滑に排出するので、カウンター上面１ａの水下側の領域Ｇ（横長排水路２を形成した左右領域）の全域にわたって水を溜まり難くすることができる。
【００２０】
本発明カウンター１は、図４、図５、図６及び図７に示す如くカウンター上面１ａと横長排水路２の境界の出隅縁１ｃに、横長排水路２に沿って面取りが施され、面取り表面（本例では、湾曲面）の勾配をカウンター上面１ａの手前下がりの勾配よりも大きくしてある。これにより、本発明カウンター１は、カウンター上面１ａの水下側の出隅縁１ｃに至った水を、急な勾配の面取り表面で横長排水路２へ円滑に導いて、出隅縁１ｃにおける水切れをよくすることができる。
【００２１】
本発明カウンター１は、図１乃至図４及び図１０に示す如く、カウンター上面１ａを形成したカウンター本体３と、カウンター本体３を支持するブラケット６，６，７と、カウンター本体３の下方に配置してカウンター本体３へ接合したカバー４とを備え、カウンター本体３の下面側に横長排水路２の排水口２ｂと連なる縦排水接合部３ｄを形成すると共にカバー４の内側に縦排水路形成部４ｄを形成し、これら排水口２ｂと縦排水接合部３ｄを接合して縦排水路１２を形成し、ブラケット６（７）及び縦排水路形成部４ｄの外側面４ｄ−１をカウンター本体３及びカバー４で覆い隠してカウンター手前外側から見えないようにしてある。本発明カウンター１は、ブラケット６（７）及び縦排水路形成部４ｄの外側面４ｄ−１がカウンター本体３及びカバー４で覆い隠されて露出しないため、見栄えがよい。本発明カウンター１は、湯桶Ｒ（図１参照）を載置する等して利用されるものであって、一方の端（本例は左端）を浴槽（図示略）に接近さて塞ぐと共に他方の端（本例は右端）に端キャツプ５を取付けて見栄えよくしてある。
【００２２】
前記上方のカウンター本体３は、図１、図４及び図９に示す如く、合成樹脂素材を射出成型する等して成形され、上方表面に載置面３ａが形成され、周縁の適所に下垂片３ｂが形成され、下方裏面に前後及び左右へ延びる補強用リブ３ｃ、ネジ螺着部３ｅ及び後側の係止片３ｆが形成され、下方裏面の手前側に横長排水路２の排水口２ｂに連なる縦排水路接合部３ｄが形成されている。カウンター本体３は、補強用リブ３ｃを形成することで軽量化して曲げ剛性を大きくしてある。また、カウンター本体３は、カウンター上面１ａの手前側に設けられた左右方向へ延びる水返し用縁部１ｂを、カウンター上面１ａの手前側よりも上方へ突出する堤状に形成し、カウンター上面１ａに載置した湯桶Ｒ（図１参照）等の落下を防止するようにしてある。
【００２３】
前記下方のカバー４は、図２及び図４に示す如く、合成樹脂素材を射出成型する等して成形され、下方表面を覆い面４ａに形成し、周縁の適所に起立片４ｂが形成され、上方内面に前後及び左右へ延びる補強用リブ４ｃが形成され、取付壁面Ｗ側寄りに壁側接合部４ｆが形成され、手前側中央寄りに縦排水路形成部４ｄが形成されている。縦排水路形成部４ｄは、内側に上下貫通する縦排水路１２を形成すると共に、その外側面４ｄ−１をカバー４の内側に露出させてある。カバー４は、上記壁側接合部４ｆを形成するために、底面壁側寄りに側面形状が三角形の凹部４ｇが凹設され、凹部４ｇの後側を接合片４ｆ−１で形成し、接合片４ｆ−１を壁側へ向かって下り傾斜させ、接合片４ｆ−１に取付具用挿通孔４ｆ−２を設けてある。カバー４は、凹部４ｇの上側を形成する傾斜片４ｈを壁側へ向かって上り傾斜させ、後述する螺子やねじ込み式ジョイント部材等からなる取付具８をねじ込むドライバーやソケットレンチ等からなるねじ込み作業工具（図示略）を傾斜片４ｈと接触させないようにしてある。カバー４は、補強用リブ４ｃを形成することで軽量化して曲げ剛性を大きくしてある。
【００２４】
前記ブラケット６は、図１０に示す如く、金属板を折曲げ等して板金加工で成形され、起立接合片６ａと、起立接合片６ａの壁側の側縁から折曲げて延設した垂直な壁取付片６ｂと、起立接合片６ａの上方側縁から折曲げて延設した水平なカウンター本体取付片６ｃと、壁取付片６ｂの上方から延設した弾性変形する押圧片６ｄと、壁取付片６ｂの下方から手前側へ延設した壁側取付部６ｆの取付片６ｆ−１とを備え、壁取付片６ｂ及びカウンター本体取付片６ｃの各々にネジ挿通孔６ｅを設けると共に、取付片６ｆ−１に雌ネジ孔等からなる取付部６ｆ−２を設けてある。起立接合片６ａは、内側に開口部を成形して軽量化を図っている。前記ブラケット７は、上記ブラケット６よりも張出寸法を短くしたものであり、上記ブラケット６と同様に成形され、起立接合片７ａと、起立接合片７ａの壁側の側縁から折曲げて延設した壁取付片７ｂと、起立接合片７ａの上方側縁から折曲げて延設したカウンター本体取付片７ｃと、壁取付片７ｂの上方から延設した弾性変形する押圧片７ｄと、壁取付片７ｂの下方から手前側へ延設した壁側取付部７ｆの取付片７ｆ−１とを備え、壁取付片７ｂ及びカウンター本体取付片７ｃの各々にネジ挿通孔７ｅを設けてある。ブラケット６（７）は、図４に示す如く、壁パネル等からなる取付壁面Ｗにネジ１４で取付固定される。
【００２５】
前記カウンター本体３、カバー４及びブラケット６（７）からなる本発明カウンター１の組立ては、壁面Ｗにネジ１４で取付け固定したブラケット６（７）にカウンター本体３を載置してネジ９（本例は図４に示す蝶ボルト）で連結し、カウンター本体３の周縁の下垂片３ｂに下方のカバー４の周縁の起立片４ｂを重ね合わせて接合すると共に、カウンター本体３及びカバー４の手前側の適所をネジ１０（本例は図５及び図７に示す頭部付きボルト）及び係合手段１１（図８参照）で連結すると共に、カバー４の壁側接合部４ｆに形成した接合片４ｆ−１を各ブラケット６（７）の壁側取付部６ｆ（７ｆ）に形成した取付片６ｆ−１（７ｆ−１）に取付具８（本例は図４に示す頭部付きボルト）で連結し、カウンター本体３の縦排水路接合部３ｄ及びカバー４の縦排水路形成部４ｄで上下に貫通した前記縦排水路１２を形成する。上記係合手段１１は、図３（Ａ）及び図８に示す如く、カバー４の周縁の起立片４ｂの適所から突出した係止孔付き係止片１１ａと、カウンター本体３の周縁の下垂片３ｂの裏側に突設した突起１１ｂとからなり、係止片１１ａの係止孔に突起１１ｂを係入してある。なお、カバー４は、その手前側をカウンター本体３の手前側に連結する以外に、図示は省略したが、ブラケット６（７）に連結することもある。
【００２６】
なお、本発明カウンターは、図示は省略したが、カバー４を省略して、カウンター本体３の下面側に排水口２ｂに通じる適宜長さの縦排水路成形部を設けると共に、手前側の下垂片３ｂの高さ寸法を大きくして、ブラケット６（７）及び縦排水路成形部を見え難く構成することも可能である。
【図面の簡単な説明】
【００２７】
【図１】本発明カウンターの実施の形態を示すものであって一部破断して示す全体の平面図である。
【図２】同実施の形態における全体の底面図である。
【図３】同実施の形態における上方のカウンター本体、下方のカバー及び端キャップを示すものであって、図（Ａ）は三者を分離した状態の正面図、図（Ｂ）は三者を連結した状態の正面図である。
【図４】図２のＩＶ−ＩＶ線で断面し拡大して示す左側面図である。
【図５】図２のＶ−Ｖ線で断面し拡大して示す左側面図である。
【図６】図２のＶＩ−ＶＩ線で断面した一部を拡大して示す左側面図である。
【図７】図２のＶＩＩ−ＶＩＩ線で断面した一部を拡大して示す左側面図である。
【図８】図２のＶＩＩＩ−ＶＩＩＩ線で断面して拡大した一部を示す左側面図である。
【図９】同実施の形態におけるカウンター本体の底面図である。
【図１０】同実施の形態におけるカウンター本体及びブラケットを分離して示す斜視図である。
【符号の説明】
【００２８】
１…本発明カウンター、１ａ…カウンター上面、１ｂ…水返し用縁部、１ｃ…出隅縁、２…横長排水路、２ａ…底面、２ｂ…排水口、３…カウンター本体、４…カバー、４ｄ…縦排水路形成部、１２…縦排水路、Ｊ…開口領域、Ｋ…有底領域、Ｍ…縦排水路１２の開口平面積、Ｎ…横長排水路２の有底領域Ｋにおける横断面積、Ｕ…横長排水路２の有底領域Ｋにおける幅寸法
【図１】
0005106043.tif 000002
【図２】
0005106043.tif 000003
【図３】
0005106043.tif 000004
【図４】
0005106043.tif 000005
【図５】
0005106043.tif 000006
【図６】
0005106043.tif 000007
【図７】
0005106043.tif 000008
【図８】
0005106043.tif 000009
【図９】
0005106043.tif 000010
【図１０】
0005106043.tif 000011